(57)【特許請求の範囲】
【請求項１】
正面側が開口した箱体であり且つ発光体が収納される本体と、本体の開口を蓋する板状体であり且つ発光体から発せられた光の少なくとも一部が透過して表示内容を視認させる表示パネルと、表示パネルの横方向の両側位置に各々配置され且つ発光体の光軸に対して略直角の方向に光を発するＬＥＤユニットとを具備しており、ＬＥＤユニットは、表示パネルの横方向の両側端面に沿った方向に連続して延びた直線状の光を発するために複数のＬＥＤが長さ方向に配列された構成となっていることを特徴とする内照式標識灯。
【請求項２】
請求項１記載の内照式標識灯において、発光体としてＬＥＤが用いられていることを特徴とする内照式標識灯。
【請求項３】
請求項１又は２記載の内照式標識灯において、本体には正面側に前面枠を有し、表示パネルが本体の前面枠に開閉自在に設けられていることを特徴とする内照式標識灯。
【請求項４】
請求項３記載の内照式標識灯において、ＬＥＤユニットが本体の前面枠上の表示パネルの横方向の両側端面に対向した位置に各々設けられていることを特徴とする内照式標識灯。
【発明の詳細な説明】
【技術分野】
【０００１】
本発明は道路標識や誘導標識等に使用される内照式標識灯に関する。
【背景技術】
【０００２】
この種の内照式標識灯は、文字・記号・図柄等が示された表示板を透光部材で形成するとともに表示板の裏側に光源を配設し、光源の点灯により表示板上の文字等の部分を発光させる構成となっている（例えば、特許文献１等がある。）。その用途上、視認性が良好であることが要請され、この観点から種々の改良が提案されており、別の光源を追加したり点滅させたりするのもその一例である（例えば、特許文献２等がある。）。
【０００３】
【特許文献１】実開平１−１７８６９６号公報
【特許文献２】特開平７−１４０９１２号公報
【発明の開示】
【発明が解決しようとする課題】
【０００４】
しかしながら、上記従来例による方法だけでは、必ずしも視認性が良好にならない場合がある。即ち、トンネル内の避難誘導標識に使用する際には、道路に沿う方向で遠方から標識の存在を認識できることが望ましいが、別の光源を追加したり点滅させたりする方法では、ドライバーが自動車のランプ等と見誤るおそれがあり、トンネル内という限られた幅の中で、標識灯の高さが制限され、トンネル内が排気ガス等で汚れ、光が反射しない状況では、視認性を実質的に高めることは困難というのが現状である。
【０００５】
本発明は上記した背景の下で創作されたものであって、その目的とするところは、道路に沿う方向で遠方から標識の存在を容易に認識することが可能な内照式標識灯を提供することにある。
【課題を解決するための手段】
【０００６】
本発明に係る内照式標識灯は、正面側が開口した箱体であり且つ発光体が収納される本体と、本体の開口を蓋する板状体であり且つ発光体から発せられた光の少なくとも一部が透過して表示内容を視認させる表示パネルと、表示パネルの横方向の両側位置に各々配置され且つ発光体の光軸に対して略直角の方向に光を発するＬＥＤユニットとを具備し、ＬＥＤユニットは、表示パネルの横方向の両側端面に沿った方向に連続して延びた直線状の光を発するために複数のＬＥＤが長さ方向に配列された構成となっている。
【０００７】
発光体の代表例としてはＬＥＤがある。本体には正面側に前面枠を有し、表示パネルが本体の前面枠に開閉自在に設けられた形態をとっても良い。また、ＬＥＤユニットが本体の前面枠上の表示パネルの横方向の両側端面に対向した位置に各々設けられた形態をとっても良い。
【発明の効果】
【０００８】
本発明に係る内照式標識灯による場合、ＬＥＤユニットにて生成された指向性の強い直線状の光が表示パネルの両横方向に向けて各々発せられる構成となっているので、ドライバーが自動車のランプ等と見誤るおそれがなく、この点で視認性が実質的に良好になり、道路に沿う方向で遠方から標識の存在を容易に認識することが可能になる。特に、トンネル内という限られた幅の中で、標識灯の高さが制限され、トンネル内が排気ガス等で汚れ、光が反射しない状況にあっても視認性が高く、事故、火災等の非常事態下において非常口等に速やかに誘導することが可能になる。
【発明を実施するための最良の形態】
【０００９】
以下、本発明の内照式標識灯の実施の形態を図面を参照して説明する。図１は同内照式標識灯の正面図、図２は同内照式標識灯の右側面図、図３は同内照式標識灯の底面図、図４は同内照式標識灯のＬＥＤユニットの正面図及び矢視図である。
【００１０】
ここに掲げる内照式標識灯は、トンネル内において避難口や非常口を誘導するために使用する避難誘導標識であって、正面側が開口した箱体であり且つ発光体１１が収納される本体１０と、本体１０の開口を蓋する長方形の板状体であり且つ発光体１１から発せられた光の少なくとも一部が透過して表示内容を視認させる表示パネル２０と、表示パネル２０の横方向の両側位置に各々配置され且つ発光体１１の光軸に対して略直角の方向に光を発するＬＥＤユニット３０とを具備している。
【００１１】
本体１０はステンレス製の直方体状であり、正面側の開口周辺位置に角型の前面枠１２を有している。本体１０の内部には正面に向けて発光体１１が平行に取り付けられている。発光体１１としては、複数のＬＥＤ（型：砲弾型、発光色：白色、指向角：１２０°）が基板上に格子状に配列されたものを用いている。なお、発光体１１の光軸は図３中αとして表している。
【００１２】
表示パネル２０は本体１０の開口に比べて若干大きく且つ前面枠１２に比べて若干小さい寸法の長方形の透明な強化ガラスであって、その表面に表示内容が２色の塗料を用いてシルク印刷されたものを用いている。ここでは表示内容として、その中央部上寄りに避難口や非常口を示す絵文字等を表記し、その両側位置に避難口や非常口の方向を矢印で各々表記し、その下側位置に避難口や非常口までの距離（図示例では単位「ｍ」のみを示している。）を表記している。
【００１３】
ＬＥＤユニット３０は、表示パネル２０の縦寸法と略同一の長さを有した直線状部材であって、本体１０の前面枠１２上の表示パネル２０の横方向の両側端面に対向した位置に各々設けられいる。内部には複数のＬＥＤ３３（型：チップ型、発光色：白色、指向角：２０°）が設けられており、発光体１１の光軸αに対して略直角な方向β１、β２に向けて光（側方光）を各々発するようになっている。
【００１４】
具体的には、図４に示すような構造になっている。即ち、断面略コ字状の長尺体であって側方光を出力するための開口３１１が正面に形成されたハンジング３１と、ハンジング３１の内部に取り付けられた透明又は半透明の板状体ておって開口３１１を内側から塞ぐ保護カバー３２と、ハンジング３１の内部における保護カバー３２に対向した位置に取り付けられ且つ透明保護カバー３２より若干短い長さの直方体状の基板３３と、基板３３上に長さ方向に等間隔に一列に並べて実装された複数個のＬＥＤ３３とを有する。指向角の小さいＬＥＤ３４が等間隔に複数個配置されていることから、表示パネル２０の横方向の両側端面に沿った方向に連続して延びた直線状の光を発するようになっている。
【００１５】
なお、発光体１１及びＬＥＤユニット３０については、本体１０内に取り付けられた蓄電池が含まれた電源回路（図示省略）に電気接続されており、これが商用電源に配線されることにより、常時通電されるようになっている。
【００１６】
上記のように構成された内照式標識灯がトンネルの壁面に取り付けられ、商用電源に配線されると、発光体１１及びＬＥＤユニット３０が同時に通電される。
【００１７】
発光体１１が通電されると、これから発せられた光は表示パネル２０で拡散され、光軸αを中心とした角度で正面方向に向けて出力され、これに伴って、表示パネル２０上の表示内容が発光される。また、ＬＥＤユニット３０が各々通電されると、これから発せられた直線状の光はβ１，β２の方向に向けて各々出力される。
【００１８】
このように発光体１１からの光だけでは標識に近づかなければ存在が認識され難いところ、ＬＥＤユニット３０からの光が内照式標識灯の両側方向に各々放射されるようになっているので、道路に沿う方向で遠方から標識の存在を認識することが可能になる。特にＬＥＤユニット３０から出力される光が直線状であり、その光の指向性が高いこともあって、ドライバーが自動車のランプ等と見誤るおそれがなく、この点で視認性が実質的に良好になり、これに伴って、道路に沿う方向で遠方から標識の存在を容易に認識することが可能になる。特に、トンネル内という限られた幅の中で、標識灯の高さが制限され、トンネル内が排気ガス等で汚れ、光が反射しない状況にあっても視認性が高く、事故、火災等の非常事態下において非常口等に速やかに誘導することが可能になる。
【００１９】
しかも本体１０の前面枠１２上にＬＥＤユニット３０を後付けすることが可能であり、既存の内照式標識灯に対して大きな設計変更を加える必要がなく実現できることから、この点でコストダウンを図ることも可能になる。
【００２０】
なお、本発明に係る内照式標識灯については、トンネル内の避難誘導標識だけの用途に限定されず、道路標識等の用途にも当然に適用可能である。また、上記実施形態に限定されず、以下のように設計変更してもかまわない。
【００２１】
例えば、本体については、正面側が開口した箱体であり且つ発光体を収納可能な構成である限り、形状等をどのように設計変更しても良く、前面枠の有無、発光体の種類等が問われない。表示パネルについては、本体の開口を蓋する板状体であり且つ発光体から発せられた光の少なくとも一部が透過して表示内容を視認させる構成である限り、どのように設計変更しても良く、表示内容等が問われないのは勿論である。特に、表示パネルを本体の正面側に固定する形態をとってもかまわない。
【００２２】
ＬＥＤユニットについては、表示パネルの横方向の両側位置に各々配置され且つ発光体の光軸に対して略直角の方向に光を発するものであって、表示パネルの横方向の両側端面に沿った方向に連続して延びた直線状の光を発するために複数のＬＥＤが長さ方向に配列された構成である限り、どのように設計変更しても良く、ＬＥＤの種類、個数、配置間隔等が問われず、表示パネルの両側位置に各々取り付ける形態をとってもかまわない。
【図面の簡単な説明】
【００２３】
【図１】本発明の実施形態を示す内照式標識灯の正面図である。
【図２】同内照式標識灯の右側面図である。
【図３】同内照式標識灯の底面図である。
【図４】同内照式標識灯のＬＥＤユニットを説明するための図であって、（ａ）は正面図、（ｂ）は正面図中のＡ−Ａ線の矢視図、（ｃ）は正面図中のＢ−Ｂ線の矢視図である。
【符号の説明】
【００２４】
１０  本体
１１  発光体
１２  前面枠
２０  表示パネル
３０  ＬＥＤユニット
３４  ＬＥＤ
【図１】
0004722713.tif 000002
【図２】
0004722713.tif 000003
【図３】
0004722713.tif 000004
【図４】
0004722713.tif 000005